(57)【要約】      （修正有）【課題】ユーザメリットを増やし、閲覧のしやすさの向上を図り、同時に広告効果を高める広告情報提供方法を可能とするサーバ装置及びプログラムを提供する。【解決手段】端末装置と通信可能に接続され、広告情報を提供するサーバ装置は、広告情報表示領域及び施設情報表示領域を有するジャンル画面を生成するためのジャンル画面生成情報と、広告情報と、施設情報とを記憶し、端末装置から指定されたジャンル情報を受信するジャンル情報受信手段と、ジャンル情報に対応するジャンル画面生成情報と広告情報と施設情報とを検索する情報検索手段とを備え、ジャンル画面生成情報により生成されるジャンル画面の、広告情報表示領域にジャンル情報に対応する広告情報の簡易情報を表示し、施設情報表示領域にジャンル情報に対応する施設報の一覧を表示し、端末装置へ送信する。これにより、ユーザメリットが増え、閲覧のしやすさが向上し、同時に広告効果も高まる。【選択図】図６
2009146183.tif 000002
【特許請求の範囲】
【請求項１】
ネットワークを介して端末装置と通信可能に接続されており、広告情報を提供するサーバ装置であって、
広告情報表示領域及び施設情報表示領域を有しているジャンル画面を生成するためのジャンル画面生成情報と、広告情報と、施設情報とを記憶する情報記憶手段と、
前記端末装置から指定されたジャンル情報を受信するジャンル情報受信手段と、
前記ジャンル情報に対応する前記ジャンル画面生成情報と前記広告情報と前記施設情報とを検索する情報検索手段と、
前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段と、
前記ジャンル広告画面を前記端末装置へ送信するジャンル広告画面送信手段と、を備えることを特徴とするサーバ装置。
【請求項２】
前記広告情報表示領域に表示する広告情報の数を設定する広告数設定手段をさらに備え、
前記ジャンル広告画面作成手段は、前記広告数設定手段が設定した数を上限として、前記広告情報表示領域に前記広告情報を表示したジャンル広告画面を作成することを特徴とする請求項１に記載のサーバ装置。
【請求項３】
前記端末装置から前記広告情報の更新指示を受信する更新指示受信手段をさらに備え、
前記ジャンル広告画面作成手段は、前記更新指示受信手段が更新指示を受信すると、前記ジャンル広告画面の前記広告情報表示領域に表示された前記ジャンル情報に対応する前記広告情報を、前記ジャンル情報に対応する次の新たな前記広告情報に更新したジャンル広告画面を作成することを特徴とする請求項２に記載のサーバ装置。
【請求項４】
前記ジャンル情報に対応する前記広告情報の対象施設と前記ジャンル情報に対応する前記施設情報の対象施設が同一か否かを判定する同一施設判定手段をさらに備え、
前記ジャンル広告画面作成手段は、前記同一施設判定手段が前記広告情報と同一施設であると判定した前記施設情報をマーキング表示したジャンル広告画面を作成することを特徴とする請求項１乃至３のいずれか一項に記載のサーバ装置。
【請求項５】
前記情報記憶手段は、さらに前記広告情報が前記ジャンル広告画面に表示された表示回数を前記広告情報と対応付けて記憶しており、
前記情報検索手段が検索した広告情報を表示回数の昇順に並べ替える表示回数順並べ替え手段をさらに備え、
前記ジャンル広告画面作成手段は、前記表示回数順並べ替え手段が並べ替えた順に、前記広告情報表示領域に前記広告情報を表示したジャンル広告画面を作成することを特徴とする請求項１乃至４のいずれか一項に記載のサーバ装置。
【請求項６】
広告情報表示領域及び施設情報表示領域を有しているジャンル画面を生成するためのジャンル画面生成情報と、広告情報と、施設情報とを記憶する情報記憶工程と、
前記端末装置から指定されたジャンル情報を受信するジャンル情報受信工程と、
前記ジャンル情報に対応する前記ジャンル画面生成情報と前記広告情報と前記施設情報とを検索する情報検索工程と、
前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成工程と、
前記ジャンル広告画面を前記端末装置へ送信するジャンル広告画面送信工程と、を備えることを特徴とする広告情報提供方法。
【請求項７】
ネットワークを介して端末装置と通信可能に接続されており、広告情報を提供するサーバ装置によって実行されるプログラムであって、
広告情報表示領域及び施設情報表示領域を有しているジャンル画面を生成するためのジャンル画面生成情報と、広告情報と、施設情報とを記憶する情報記憶手段、
前記端末装置から指定されたジャンル情報を受信するジャンル情報受信手段、
前記ジャンル情報に対応する前記ジャンル画面生成情報と前記広告情報と前記施設情報とを検索する情報検索手段、
前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段、
前記ジャンル広告画面を前記端末装置へ送信するジャンル広告画面送信手段、として前記サーバ装置を機能させることを特徴とするプログラム。
【請求項８】
請求項７に記載のプログラムを記録したことを特徴とする記録媒体。
【発明の詳細な説明】
【技術分野】
【０００１】
本発明は、広告情報を提供する手法に関する。
【背景技術】
【０００２】
現在、Ｗｅｂ上には種々の広告が掲載されている。Ｗｅｂを利用した広告表示の一例としては、ジャンル情報と広告情報とを関連付け、ユーザがＷｅｂサイト上でジャンルを指定すると、そのジャンルに属する広告情報を表示させる方法が挙げられる。このような広告表示方法によれば、閲覧ユーザは、参照したいジャンルで絞りこんだ広告情報の一覧を得ることができる。さらに、広告主は、広告情報の属するジャンルに興味のある閲覧ユーザに広告を露出することができ、広告効果を高めることができるという利点がある。
【０００３】
また、特許文献１には、特定地域の全業種カテゴリーを表示し、ユーザにカテゴリー選択を促し、選択されたカテゴリーに関連する広告情報を供給する方法が記載されている。
【０００４】
【特許文献１】特開２００１−２５６２３９号公報
【発明の開示】
【発明が解決しようとする課題】
【０００５】
しかしながら、上記の広告表示方法は、ユーザが指定したジャンルに属する広告情報の簡易情報を一覧表示するのみであり、ユーザメリットが少なかった。また、一覧一望が困難で、閲覧しにくかった。
【０００６】
本発明の目的は、ユーザメリットを増やし、閲覧のしやすさの向上を図ることができ、同時に広告効果を高める広告情報提供方法を可能とするサーバ装置及びプログラムを提供することにある。
【課題を解決するための手段】
【０００７】
請求項１に記載の発明は、ネットワークを介して端末装置と通信可能に接続されており、広告情報を提供するサーバ装置であって、広告情報表示領域及び施設情報表示領域を有しているジャンル画面を生成するためのジャンル画面生成情報と、広告情報と、施設情報とを記憶する情報記憶手段と、前記端末装置から指定されたジャンル情報を受信するジャンル情報受信手段と、前記ジャンル情報に対応する前記ジャンル画面生成情報と前記広告情報と前記施設情報とを検索する情報検索手段と、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段と、前記ジャンル広告画面を前記端末装置へ送信するジャンル広告画面送信手段と、を備えることを特徴とする。
【０００８】
請求項６に記載の発明は、広告情報表示方法であって、広告情報表示領域及び施設情報表示領域を有しているジャンル画面を生成するためのジャンル画面生成情報と、広告情報と、施設情報とを記憶する情報記憶工程と、前記端末装置から指定されたジャンル情報を受信するジャンル情報受信工程と、前記ジャンル情報に対応する前記ジャンル画面生成情報と前記広告情報と前記施設情報とを検索する情報検索工程と、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成工程と、前記ジャンル広告画面を前記端末装置へ送信するジャンル広告画面送信工程と、を備える。
【０００９】
請求項７に記載の発明は、ネットワークを介して端末装置と通信可能に接続されており、広告情報を提供するサーバ装置において実行されるプログラムであって、広告情報表示領域及び施設情報表示領域を有しているジャンル画面を生成するためのジャンル画面生成情報と、広告情報と、施設情報とを記憶する情報記憶手段、前記端末装置から指定されたジャンル情報を受信するジャンル情報受信手段、前記ジャンル情報に対応する前記ジャンル画面生成情報と前記広告情報と前記施設情報とを検索する情報検索手段、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段、前記ジャンル広告画面を前記端末装置へ送信するジャンル広告画面送信手段、として前記サーバ装置を機能させることを特徴とする。
【発明を実施するための最良の形態】
【００１０】
本発明の１つの観点では、ネットワークを介して端末装置と通信可能に接続されており、広告情報を提供するサーバ装置は、広告情報表示領域及び施設情報表示領域を有しているジャンル画面を生成するためのジャンル画面生成情報と、広告情報と、施設情報とを記憶する情報記憶手段と、前記端末装置から指定されたジャンル情報を受信するジャンル情報受信手段と、前記ジャンル情報に対応する前記ジャンル画面生成情報と前記広告情報と前記施設情報とを検索する情報検索手段と、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段と、前記ジャンル広告画面を前記端末装置へ送信するジャンル広告画面送信手段と、を備えることを特徴とする。このように、ユーザが指定したジャンルに属する施設情報の一覧と共に、広告情報の簡易情報を表示することで、ユーザメリットを増やし、閲覧のしやすさの向上を図ることができ、同時に広告効果を高めることができる。
【００１１】
上記のサーバ装置の他の一態様では、サーバ装置は前記広告情報表示領域に表示する広告情報の数を設定する広告数設定手段をさらに備え、前記ジャンル広告画面作成手段は、前記広告数設定手段が設定した数を上限として、前記広告情報表示領域に前記広告情報を表示したジャンル広告画面を作成することを特徴とする。これにより、ジャンル広告画面が表示されるブラウザに合わせて広告情報の表示数を変更することができる。また、広告情報の表示数を設定することで、広告情報の見やすさを向上させることができる。
【００１２】
上記のサーバ装置の他の一態様では、サーバ装置は前記端末装置から前記広告情報の更新指示を受信する更新指示受信手段をさらに備え、前記ジャンル広告画面作成手段は、前記更新指示受信手段が更新指示を受信すると、前記ジャンル広告画面の前記広告情報表示領域に表示された前記ジャンル情報に対応する前記広告情報を、前記ジャンル情報に対応する次の新たな前記広告情報に差し替え、更新したジャンル広告画面を作成することを特徴とする。これにより、ユーザは広告情報だけを一定数ずつ順番に更新することができ、閲覧のしやすさの向上を図ることができる。
【００１３】
上記のサーバ装置の他の一態様では、サーバ装置は前記ジャンル情報に対応する前記広告情報の対象施設と前記ジャンル情報に対応する前記施設情報の対象施設が同一か否かを判定する同一施設判定手段をさらに備え、前記ジャンル広告画面作成手段は、前記同一施設判定手段が前記広告情報と同一施設であると判定した前記施設情報をマーキング表示したジャンル広告画面を作成することを特徴とする。これにより、ユーザの興味を喚起することができ、広告効果を高めることができる。
【００１４】
上記のサーバ装置の他の一態様では、前記情報記憶手段は、さらに前記広告情報が前記ジャンル広告画面に表示された表示回数を前記広告情報と対応付けて記憶しており、
前記情報検索手段が検索した広告情報を表示回数の昇順に並べ替える表示回数順並べ替え手段をさらに備え、前記ジャンル広告画面作成手段は、前記表示回数順並べ替え手段が並べ替えた順に、前記広告情報表示領域に前記広告情報を表示したジャンル広告画面を作成することを特徴とする。これにより、広告情報の表示の平準化を図ることができる。表示回数（以下、インプレッション数と呼ぶ。）は、広告情報と対応付けて記憶されており、当該広告情報がジャンル広告画面に何回表示されたかを示す数値である。
【００１５】
本発明の他の観点では、広告情報表示領域及び施設情報表示領域を有しているジャンル画面を生成するためのジャンル画面生成情報と、広告情報と、施設情報とを記憶する情報記憶工程と、前記端末装置から指定されたジャンル情報を受信するジャンル情報受信工程と、前記ジャンル情報に対応する前記ジャンル画面生成情報と前記広告情報と前記施設情報とを検索する情報検索工程と、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成工程と、前記ジャンル広告画面を前記端末装置へ送信するジャンル広告画面送信工程と、を備えることを特徴とする広告情報提供方法によっても、ユーザメリットを増やし、閲覧のしやすさの向上を図ることができ、同時に広告効果を高めることができる。
【００１６】
本発明の他の観点では、ネットワークを介して端末装置と通信可能に接続されており、広告情報を表示するサーバ装置において実行されるプログラムは、広告情報表示領域及び施設情報表示領域を有しているジャンル画面を生成するためのジャンル画面生成情報と、広告情報と、施設情報とを記憶する情報記憶手段、前記端末装置から指定されたジャンル情報を受信するジャンル情報受信手段、前記ジャンル情報に対応する前記ジャンル画面生成情報と前記広告情報と前記施設情報とを検索する情報検索手段、前記ジャンル情報に対応するジャンル画面生成情報により生成されるジャンル画面の、前記広告情報表示領域に前記ジャンル情報に対応する広告情報の簡易情報を表示し、前記施設情報表示領域に前記ジャンル情報に対応する施設報の一覧を表示したジャンル広告画面を作成するジャンル広告画面作成手段、前記ジャンル広告画面を前記端末装置へ送信するジャンル広告画面送信手段、として前記サーバ装置を機能させる。このようなプログラムをサーバ装置上で実行することによっても、ユーザメリットを増やし、閲覧のしやすさの向上を図ることができ、同時に広告効果を高めることができる。なお、プログラムは、記録サービス提供媒体に記録した状態で好適に取り扱うことができる。
【実施例】
【００１７】
以下、図面を参照して本発明の好適な実施例について説明する。
【００１８】
［広告情報提供システムの概略構成］
図１に、広告情報提供システム１００の概念図を示す。本実施例では、広告情報提供システム１００は、端末装置１と、サーバ装置３とがネットワーク２を通じて接続されることにより構成される。ここで、ネットワーク２の１つの好適な例はインターネットである。
【００１９】
端末装置１は、広告情報及び施設情報を含むジャンル広告画面の閲覧を要求する利用者が使用するクライアント端末である。広告情報の詳細については、後述する。具体的に、ユーザが端末装置１を使用して、閲覧を希望するジャンルを指定すると、端末装置１は、指定されたジャンルに応じたジャンル情報をサーバ装置３へ送信するとともに、広告情報及び施設情報を含むジャンル広告画面の送信要求を行う。そして、端末装置１は、サーバ装置３から広告情報及び施設情報を含むジャンル広告画面を受信すると、当該ジャンル広告画面を表示する。
【００２０】
サーバ装置３は、広告情報及び施設情報を保持し、端末装置１からの要求に応じた広告情報及び施設情報を検索し、当該広告情報及び施設情報を含むジャンル広告画面を生成し、端末装置１へ送信する。
【００２１】
［広告情報提供サーバ装置］
図２は、本発明の実施例に係るサーバ装置３の概略構成を示す図である。
【００２２】
サーバ装置３は、例えば、サーバコンピュータにより構成され、システムバス１１と、ＣＰＵ（Ｃｅｎｔｒａｌ  Ｐｒｏｃｅｓｓｉｎｇ  Ｕｎｉｔ）１２と、メモリ１３と、キーボード１４と、マウスなどの座標指示デバイス１５と、ディスプレイ１６と、プリンタ１７と、ハードディスクなどのデータ記憶装置１８と、データ通信ユニット１９とを備える。ここで、キーボード１４及び座標指示デバイス１５は、入力装置である。また、ディスプレイ１６及びプリンタ１７は、出力装置である。データ通信ユニット１９による送信は、ＵＳＢ（Ｕｎｉｖｅｒｓａｌ  Ｓｅｒｉａｌ  Ｂｕｓ）ケーブルを使用した有線送信、端子などの接触によるデータ送信など、データ通信ユニット１９から端末装置１へデータ送信が可能であれば、任意の方法を適用することができる。ＣＰＵ１２は、サーバ装置３全体を制御し、入出力装置の制御を行う。
【００２３】
ＣＰＵ１２、メモリ１３、データ記憶装置１８、データ通信ユニット１９は、システムバス１１に接続される。キーボード１４、座標指示デバイス１５、ディスプレイ１６、プリンタ１７も図示しないインタフェースを介してシステムバス１１に接続される。メモリ１３は、作業メモリとしても使用される。
【００２４】
データ記憶装置１８は、図示の通り、広告基礎情報ＤＢ３６０と、画面生成情報ＤＢ３８０と、表示管理情報ＤＢ３９０と、広告画像関連情報ＤＢ４００と、一般施設情報ＤＢ４１０と、画像ファイル４３０とを保持する。
【００２５】
広告基礎情報ＤＢ３６０は、広告基礎情報３６１を管理するデータベースである。ここで、広告基礎情報３６１のデータ構造を図３（ａ）に示す。広告基礎情報３６１は、広告を一意に識別する広告ＩＤ３６２と、広告対象の施設の名称を示す施設名称３６３と、広告対象の施設のジャンルを示すジャンル３６４と、広告対象の施設の住所を示す住所３６５と、広告対象の施設の設置個所に該当する都道府県を示す都道府県３６６と、広告対象の施設の設置個所に該当する市区町村を示す市区町村３６７と、広告対象の施設の電話番号を示す電話番号３６８と、広告対象の施設の位置座標情報（例えば、緯度経度等）を示す座標情報３６９と、広告用のコメントを示すコメント３７０と、広告対象の施設のホームページ（パソコン用）のＵＲＬ（Ｕｎｉｆｏｒｍ  Ｒｅｓｏｕｒｃｅ  Ｌｏｃａｔｏｒ）を示すＰＣ用ＵＲＬ３７１と、広告対象の施設のホームページ（携帯用）のＵＲＬを示す携帯用ＵＲＬ３７２と、広告対象の施設の最寄駅を示す最寄駅３７３と、広告対象の施設の住所に対応する郵便番号を示す郵便番号３７４とを有する情報である。
【００２６】
画面生成情報ＤＢ３８０は、画面生成情報を管理するデータベースである。ここで、画面生成情報とは、広告情報を表示する広告情報表示領域と施設情報を表示する施設情報表示領域とを有している画面を作成するための情報である。
【００２７】
表示管理情報ＤＢ３９０は、表示管理情報３９１を管理するデータベースである。ここで、表示管理情報３９１のデータ構造を図３（ｂ）に示す。表示管理情報３９１は、広告を一意に識別する広告ＩＤ３９２と、広告情報が表示等された回数を示すインプレッション数３９３とを有する情報である。
【００２８】
広告画像関連情報ＤＢ４００は、広告画像関連情報４０１を管理するデータベースである。ここで、広告画像関連情報４０１のデータ構造を図３（ｃ）に示す。広告画像関連情報４０１は、広告を一意に識別する広告ＩＤ４０２と、画像ファイルの保存先を示す画像ファイル保存先情報４０３とを有する情報である。
【００２９】
一般施設情報ＤＢ４１０は、施設情報４１１を管理するデータベースである。ここで、施設情報とは、広告用に登録された情報ではなく、一般的に開示されている施設の情報である。施設情報４１１のデータ構造を図３（ｄ）に示す。施設情報４１１は、施設を一意に識別する施設ＩＤ４１２と、施設の名称を示す施設名称４１３と、施設のジャンルを示すジャンル４１４と、施設の住所を示す住所４１５と、施設の設置個所に該当する都道府県を示す都道府県４１６と、施設の設置個所に該当する市区町村を示す市区町村４１７と、施設の電話番号を示す電話番号４１８と、施設の位置座標情報（例えば、緯度経度等）を示す座標情報４１９と、施設の最寄駅を示す最寄駅４２０と、施設の住所に対応する郵便番号を示す郵便番号４２１とを有する情報である。また、データ記憶装置１８は、広告情報として用いられる画像データを含む画像ファイル４３０を保持する。
【００３０】
なお、広告情報とは、広告基礎情報３６１及び当該広告基礎情報に関連する画像データを含む情報をいう。
【００３１】
［広告情報提供ユニット］
図４は、ユーザが指定したジャンル情報に対応する広告情報及び施設情報を表示したジャンル広告画面を作成し、端末装置に送信する広告情報提供ユニット２００の機能ブロック図である。広告情報提供ユニット２００は、実態的には、サーバ装置３の構成要素により構成される。つまり、本実施例においてサーバ装置３は、広告情報提供ユニット２００が搭載された広告情報提供装置として機能する。
【００３２】
図４に示すように、広告掲載ユニット２００は、情報記憶部２０１、情報受信部２０２、情報検索部２０３、画面作成部２０４、情報送信部２０５、表示数設定部２０６、情報並べ替え部２０７、同一施設判定部２０８を備える。
【００３３】
情報記憶部２０１は、広告情報及び施設情報を表示した画面であるジャンル広告画面を作成するために必要な情報を記憶する。具体的に、情報記憶部２０１は、広告情報、施設情報、ジャンル画面生成情報、表示管理情報を記憶している。
【００３４】
情報受信部２０２は、ユーザが端末装置１を使用してジャンルを指定することにより端末装置１から送信されたジャンル情報を受信する。また、ユーザが端末装置１を使用して更新指示送信ボタンを押したことにより端末装置１から送信された更新指示を受信する。即ち、本実施例において情報受信部２０２は、ジャンル情報受信手段及び更新指示受信手段として機能する。
【００３５】
情報検索部２０３は、情報受信部２０２が受信したジャンル情報に対応するジャンル画面生成情報と広告情報と施設情報とを情報記憶部２０１に記憶されている画面生成情報と広告情報と施設情報とから検索する。
【００３６】
画面作成部２０４は、情報検索部２０３が検索したジャンル画面生成情報より広告情報表示領域および施設情報表示領域を有する画面を作成し、当該広告情報表示領域に情報検索部２０３が検索した広告情報を表示させ、当該施設情報表示領域に情報検索部２０３が検索した施設情報を表示させたジャンル広告画面を作成する。
【００３７】
情報送信部２０５は、画面作成部２０４が作成したジャンル広告画面を端末装置１に送信する。
【００３８】
表示数設定部２０６は、画面作成部２０４が作成するジャンル広告画面において、広告情報表示領域に表示する広告情報の数を設定する。画面作成部２０４は、表示数設定部２０６によって設定された数を上限として、広告情報表示領域に広告情報を表示させ、ジャンル広告画面を作成する。
【００３９】
情報並べ替え部２０７は、情報記憶部２０１が記憶している表示管理情報に基づいて、情報検索部２０３が検索した広告情報をインプレッション数の昇順に並べ替える。画面作成部２０４は、情報並べ替え部２０７によって並べ替えられた順番で、広告情報表示領域に広告情報を表示させ、ジャンル広告画面を作成する。
【００４０】
同一施設判定部２０８は、画面作成部２０４が広告情報表示領域に表示した広告情報の対象となっている施設と、施設情報表示領域に表示した施設情報の対象となっている施設が同一か否かを判定する。
【００４１】
［広告情報提供方法］
次に、広告情報提供ユニット２００により、ユーザに対して、ユーザが指定したジャンル情報に対応する広告情報を提供する方法について説明する。
【００４２】
ユーザは、まず、端末装置１を使用し、ジャンルを指定する。端末装置１は指定されたジャンル情報をサーバ装置３に送信し、広告情報提供ユニット２００の情報受信部２０２が、ジャンル情報を受信する。情報検索部２０３は、情報記憶部２０１に記憶されているジャンル画面生成情報と広告情報と施設情報との中から、受信したジャンル情報に対応するジャンル画面生成情報と広告情報と施設情報とを検索し、画面作成部２０４は、検索した広告情報と施設情報と画面生成情報とに基づいてジャンル広告画面を作成する。
【００４３】
図５はジャンル広告画面の例である。ジャンル広告画面は広告情報表示領域Ａ１と施設情報表示領域Ａ２を有し、広告情報表示領域Ａ１には、ジャンル情報に対応する広告情報の簡易情報が、施設情報表示領域Ａ２にはジャンル情報に対応する施設情報の一覧が表示されている。さらに、広告情報表示領域Ａ１は、更新指示送信領域である更新ボタンＡ３を有している。なお、ジャンル広告画面は、図５の例に限定されるものではなく任意に設定することができる。
【００４４】
本実施例では、広告情報提供ユニット２００の表示数設定部２０６は地域広告情報表示領域に表示する広告情報の数を設定し、画面作成部２０４は設定した数を上限として広告情報を地域広告情報表示領域に表示する。図５の例では広告情報の数を「３」に設定している。
【００４５】
また、前述のように、ジャンル広告画面は更新指示送信領域である更新ボタンＡ３を有しており、ユーザが端末装置１を用いて更新ボタンＡ３を押下すると、更新指示が端末装置１からサーバ装置３に送信される。広告情報提供ユニット２００の情報受信部２０２は、更新指示を受信し、画面作成部２０４は、ジャンル広告画面の広告情報表示領域に表示されたジャンル情報に対応する広告情報を、ジャンル情報に対応する次の新たな広告情報に差し替え、更新したジャンル広告画面を作成する。このように、ユーザは広告情報だけを一定数ずつ順番に更新することができ、閲覧のしやすさの向上を図ることができる。
【００４６】
同一施設判定部２０８は、画面作成部２０４が広告情報表示領域に表示した広告情報の対象となっている施設と、施設情報表示領域に表示した施設情報の対象となっている施設が同一か否かを判定する。具体的には、施設名称３６３と施設名称４１３、住所３６５と住所４１５、電話番号３６８と電話番号４１８などの広告情報及び施設情報を構成する属性情報が一致するか否かで判断する方法などがある。画面作成部２０４は、同一施設判定部２０８が広告情報と同一施設であると判定した施設情報をマーキング表示する。マーキング表示は、具体的に、文字列の横にマークを付加する、文字色を変更する、文字列にアンダーラインを引くなどの方法が考えられる。これにより、広告情報の対象施設が施設情報一覧にも含まれていることをユーザに視覚的に認識させることができ、広告効果を高めることができる。
【００４７】
情報並べ替え部２０７は、情報記憶部２０１に記憶されている表示管理情報に基づいて、情報検索部２０３が検索した広告情報をインプレッション数の昇順に並べ替える。画面作成部２０４は情報並べ替え部２０７が並べ替えたインプレッション数の昇順に広告情報を表示する。過去の表示回数の少ない広告情報が優先して表示されることとなるので、複数の広告情報の表示回数の偏りを無くすことができる。
【００４８】
情報送信部２０５は、作成したジャンル広告画面を端末装置１に送信する。端末装置１は、受信したジャンル広告画面を表示する。
【００４９】
［広告情報提供処理］
次に、本実施例による広告情報提供処理について図６を参照して説明する。広告情報提供ユニット２００は、サーバ装置３の構成要素により構成されるものであって、広告情報提供処理は、図２に示すＣＰＵ１２がメモリ１３に記憶されたプログラムを実行することにより実現される。図６は広告情報提供処理のフローチャートである。
【００５０】
ユーザはまず、端末装置１を使用し、参照したいジャンルを指定する。端末装置１は、ジャンルの指定を受け取り（ステップＳ１）、指定ジャンルのジャンル情報をサーバ装置３に送信する（ステップＳ２）。
【００５１】
サーバ装置３の情報受信部２０２は、端末装置１からジャンル情報を受信し（ステップＳ３）、情報検索部２０３は、情報記憶部２０１に記憶されているジャンル画面生成情報と広告情報と施設情報との中から受信したジャンル情報に対応するジャンル画面生成情報と広告情報と施設情報とを検索する（ステップＳ４）。情報並べ替え部２０７は、情報記憶部２０１が記憶している表示管理情報に基づいて、情報検索部２０３が検索した広告情報をインプレッション数の少ない順に並べ替える（ステップＳ５）。前述のように、インプレッション数は広告情報に含まれる広告ＩＤと対応付けて、表示管理情報として情報記憶部２０１に記憶されている。
【００５２】
次に、画面作成部２０４は、ジャンル画面生成情報に基づきジャンル画面を作成し、広告情報表示領域に情報並べ替え部２０７によって並べ替えられた順番に広告情報を表示し、施設情報表示領域に施設情報を表示し、ジャンル広告画面を作成する（ステップＳ６）。
【００５３】
次に、同一施設判定部２０８は、画面作成部２０４が広告情報表示領域に表示した広告情報の対象となっている施設と、施設情報表示領域に表示した施設情報の対象となっている施設が同一か否かを判定する（ステップＳ７）。同一施設があった場合（ステップＳ７；Ｙｅｓ）、画面作成部２０４は、同一施設であることをユーザに視覚的に認識させるため、同一施設判定部２０８が広告情報と同一施設であると判定した施設情報をマーキング表示する（ステップＳ８）。そして、情報送信部２０５は、作成したジャンル広告画面を端末装置１に送信する（ステップＳ９）。一方、同一の施設がなかった場合（ステップＳ７；Ｎｏ）、ＣＰＵ１２は、ステップＳ９へ進む。端末装置１は、受信したジャンル広告画面を受信し（ステップＳ１０）、受信したジャンル広告画面を表示する（ステップＳ１１）。
【００５４】
次に、端末装置１は、更新ボタンが押下されたか否かを判定する（ステップＳ１２）。更新ボタンが押下されなかった場合（ステップＳ１２；Ｎｏ）、広告情報提供処理は終了する。更新ボタンが押下された場合（ステップＳ１２；Ｙｅｓ）、端末装置１は更新指示を受け取り（ステップＳ１３）、更新指示をサーバ装置３に送信する（ステップＳ１４）。
【００５５】
サーバ装置３の情報受信部２０２は、端末装置１から更新指示を受信し（ステップＳ１５）、画面作成部２０４は、ステップＳ６で表示された広告情報の次の新たな広告情報を広告情報表示領域に表示し、ジャンル広告画面を作成する。即ち、画面作成部２０４は、ジャンル広告画面に表示した広告情報を次の新たな広告情報と差し替え、更新する（ステップＳ１６）。
【００５６】
同一施設判定部２０８は、画面作成部２０４が更新した新たな広告情報の対象となっている施設と、施設情報表示領域に表示した施設情報の対象となっている施設が同一か否かを判定する（ステップＳ１７）。同一の施設があった場合（ステップＳ１７；Ｙｅｓ）、画面作成部２０４は、同一施設判定部２０８が広告情報と同一施設であると判定した施設情報をマーキング表示する。（ステップＳ１８）。情報送信部２０５は、作成したジャンル広告画面を端末装置１に送信する（ステップＳ１９）。同一の施設がなかった場合（ステップＳ７；Ｎｏ）、ＣＰＵ１２は、ステップＳ１９へ進む。
【００５７】
端末装置１は、受信したジャンル広告画面を受信し（ステップＳ２０）、受信したジャンル広告画面を表示する（ステップＳ２１）。端末装置１は、さらに更新ボタンが押下されたか否かを判定する（ステップＳ２２）。更新ボタンが押下された場合（ステップＳ２２；Ｙｅｓ）、端末装置１は、ステップＳ１３乃至ステップＳ２１の処理を繰り返し実行する。更新ボタンが押下されなかった場合（ステップＳ１２；Ｎｏ）、広告情報提供処理は終了する。
【００５８】
以上述べたように本実施例のサーバ装置によれば、ユーザメリットを増やし、閲覧のしやすさの向上を図ることができる。また、これにより広告効果の高い広告情報の提供が可能となる。
【００５９】
［変形例］
上記の実施例における広告情報提供処理は、広告情報をインプレッション数の昇順に並べ替える処理と、広告情報と同一施設の施設情報をマーキング表示する処理と、広告情報のみを更新する処理とを含んでいたが、本発明の適用はこの形態に限られない。即ち、これらの処理のうちの１つ乃至３つを任意に組み合わせて広告情報提供処理を行っても良い。さらに、これら３つの処理を全て含まない広告情報提供処理も可能である。
【００６０】
上記の実施例では、広告情報提供システム１００において、サーバ装置３が単体で、広告情報表示領域Ａ１に表示すべき広告情報の検索・表示に関する処理、及び施設情報表示領域Ａ２に表示すべき施設情報の検索や表示等に関する処理を行う場合について述べたが、本発明はこれに限られず、上記の２つの処理を複数のサーバ装置で分担して処理を行うようにしても良い。例えば、広告情報提供システム１００において、サーバ装置Ａとサーバ装置Ｂを備えるようにし、サーバ装置Ａが広告情報表示領域Ａ１に表示すべき広告情報の検索・表示に関する処理を行い、サーバ装置Ｂが施設情報表示領域Ａ２に表示すべき施設情報の検索や表示等に関する処理を行う等が考えられる。
【００６１】
この場合、ジャンル広告画面を表示済みの端末装置１からサーバ装置Ａへ書き換え用の広告情報の提供要求を行うと、サーバ装置Ａが端末装置１へ広告情報を提供する。そして、端末装置１は、取得した広告情報を用いて広告情報表示領域Ａ１の書き換え表示を行う。なお、端末装置１からサーバ装置Ｂを介してサーバ装置Ａへ書き換え用の広告情報提供要求を行っても良い。
【００６２】
また、ジャンル広告画面を表示済みの端末装置１からサーバ装置Ｂへ書き換え用の施設情報の提供要求を行うと、サーバ装置Ｂが端末装置１へ施設情報を提供する。そして、端末装置１は、取得した施設情報を用いて施設情報表示領域Ａ２の書き換え表示を行う。なお、端末装置１からサーバ装置Ａを介してサーバ装置Ｂへ書き換え用の施設情報提供要求を行っても良い。
【００６３】
なお、図６のＳ７〜Ｓ９の処理の一例については、広告情報がサーバＡから端末装置に送信されると共に、広告情報がサーバＢにも送信されるようにし、サーバＢでは、受信した広告情報に基づいて、マーキング表示が必要な施設情報にマーキングが付与され、この後、サーバＢから端末装置１に施設情報が送信されるようにするとよい。
【００６４】
また、上記の実施例では、広告情報の見やすさの向上などのため、ジャンル広告画面に表示する広告情報の数を設定することになっていたが、設定しなくても良い。ただし、実際には、携帯電話を端末装置として利用する場合など、ジャンル広告画面を表示するブラウザによって制限される。
【図面の簡単な説明】
【００６５】
【図１】広告情報提供システムの概略構成を示すブロック図である。
【図２】サーバ装置の構成示すブロック図である。
【図３】データベースで管理されている情報のデータ構造を模式的に示すブロック図である。
【図４】広告情報提供ユニットの機能構成を示すブロック図である。
【図５】ジャンル広告画面の例である。
【図６】広告情報提供処理を示すフローチャートである。
【符号の説明】
【００６６】
１１  システムバス
１２  ＣＰＵ
１３  メモリ
１４  キーボード
１５  座標指示デバイス
１６  ディスプレイ
１７  データ通信ユニット
１８  データベース
１００  広告情報提供システム
２００  広告情報提供ユニット
【図１】
2009146183.tif 000003
【図２】
2009146183.tif 000004
【図３】
2009146183.tif 000005
【図４】
2009146183.tif 000006
【図５】
2009146183.tif 000007
【図６】
2009146183.tif 000008